(57)【要約】【課題】放送番組の映像が大画面での表示に適したシーンの映像とそうでないシーンの映像とに随時変化する場合に，その変化に応じて映像の表示サイズを適正化できるとともに，液晶表示パネルにおける表示映像のコントラストを犠牲にすることなく消費電力を低減することができる液晶テレビジョン受像機を提供すること。【解決手段】液晶表示パネル２０により表示中の放送番組の映像に含まれる人の顔の像の位置及び大きさを検出し，その検出結果と予め記憶された液晶表示パネル２０による表示映像における人の顔の像の位置及び大きさに関する標準顔面情報との合致状況を判別し，その判別結果に応じて，液晶表示パネル２０における放送番組の映像の表示サイズを切り替え，その切り替えに応じて，液晶表示パネル２０における映像の非表示領域を照明する光源１８，１９を消灯させ，映像の表示領域を照明する光源１８，１９を点灯させる。【選択図】図１
2008301167.tif 000002
【特許請求の範囲】
【請求項１】
放送番組の映像を表示する液晶表示パネルと該液晶表示パネルを背面側から照明する複数の光源とを備えた液晶テレビジョン受像機であって，
前記液晶表示パネルによる表示映像における人の顔の像の位置及び大きさに関する顔配置情報を記憶する顔配置情報記憶手段と，
前記液晶表示パネルにより表示中の前記放送番組の映像に含まれる人の顔の像の位置及び大きさを検出する顔検出手段と，
前記顔検出手段により検出された人の顔の像の位置及び大きさと前記顔配置情報記憶手段に記憶された前記顔配置情報に基づく人の顔の像の位置及び大きさとの合致状況を判別する顔配置合致状況判別手段と，
前記顔配置合致状況判別手段による判別結果に応じて，前記液晶表示パネルにおける前記放送番組の映像の表示サイズを切り替える映像サイズ切替手段と，
前記映像サイズ切替手段による映像表示サイズの切り替えに応じて，前記液晶表示パネルにおける前記放送番組の映像の非表示領域を照明する前記光源を消灯させ，前記放送番組の映像の表示領域を照明する前記光源を点灯させる光源点滅制御手段と，
を具備してなることを特徴とする液晶テレビジョン受像機。
【請求項２】
前記顔配置情報記憶手段が，前記放送番組の識別情報と前記顔配置情報とを対応付けて記憶してなり，
前記顔配置合致状況判別手段が，前記液晶表示パネルにより映像を表示中の前記放送番組の識別情報に対応する前記顔配置情報に基づいて前記合致状況を判別してなる請求項１に記載の液晶テレビジョン受像機。
【請求項３】
所定の操作部に対して所定の登録操作がなされたことを検知した場合に，前記液晶表示パネルにより映像を表示中の前記放送番組の識別情報と前記顔検出手段による検出結果に基づく前記顔配置情報とを対応付けて前記顔配置情報記憶手段に記憶させる顔配置情報半自動登録手段を具備してなる請求項２に記載の液晶テレビジョン受像機。
【請求項４】
所定の記憶手段に記憶された電子番組ガイド情報に基づいて，前記液晶表示パネルにより映像を表示中の前記放送番組のジャンルを判別する番組ジャンル判別手段と，
前記番組ジャンル判別手段による判別結果が予め定められた特定のジャンルである場合であって，前記顔検出手段による検出結果が予め定められた登録条件を満たす場合に，前記液晶表示パネルにより映像を表示中の前記放送番組の識別情報と前記顔検出手段による検出結果に基づく前記顔配置情報とを対応付けて前記顔配置情報記憶手段に記憶させる顔配置情報自動登録手段と，
を具備してなる請求項２又は３のいずれかに記載の液晶テレビジョン受像機。
【請求項５】
前記登録条件が，予め定められた大きさ以上であって，所定時間内における位置の変化が予め定められた範囲内である人の顔の像が存在することである請求項４に記載の液晶テレビジョン受像機。
【発明の詳細な説明】
【技術分野】
【０００１】
本発明は，放送番組の映像を表示する液晶表示パネル及びそれをその背面から照明する光源を備えた液晶テレビジョン受像機に関するものである。
【背景技術】
【０００２】
液晶テレビジョン受像機は，放送番組の映像を表示する液晶表示パネル及びそれを背面から照明する複数の光源（いわゆるバックライト）を備えている。このバックライトとしては，一般的に，赤，緑及び青の各波長の光の合成光を発光する冷陰極管（蛍光管）が採用される。また，冷陰極管の光は，人間の視覚に適したホワイトバランスに対して赤色の波長帯の光強度がやや不足する傾向にあるため，冷陰極管と赤色の発光ダイオード（ＬＥＤ）とを組み合わせたハイブリッド型のバックライトも存在する。
ところで，昨今，大型の液晶テレビジョン受像機が普及し，これにより，映画やスポーツ，自然の風景等に関する放送番組の視聴に際して臨場感のある映像を一般家庭でも提供できるようになった。
一方，放送番組の中には，その映像が大画面で表示されると視聴者に違和感や不快感を与えるシーンを含むもの等，大画面での映像表示が適当でないシーンを含むものがある。例えば，ニュースやワイドショー等の放送番組において，現場リポートのシーン等の映像は，臨場感のある大きな画面で見たい映像であるが，ニュースキャスターや司会者がスタジオ内で大写しになるシーンの映像は，人の顔がほとんど変化なく映し出される映像であるために，その映像を大きな画面で表示させると視聴者が圧迫感や違和感を感じる場合がある。
これに対し，例えば特許文献１において，映像を表示中の放送番組のジャンルに応じて，液晶表示パネルにおける映像の表示サイズを変化させるテレビジョン受像機が提案されている。
【０００３】
また，大型の液晶テレビジョン受像機は，大型の液晶表示パネルとその背面全域を照明するバックライト用の多数の光源とを備えるため，その消費電力が大きい。例えば，５２型の液晶テレビジョン受像機は，装置全体の消費電力が３２０Ｗ余りであり，そのうちバックライトの消費電力は２２０Ｗ余り（約７０％）を占める。このように，液晶テレビジョン受像機では，バックライトの消費電力が装置全体の消費電力の大半を占めるため，バックライトの点灯状態の制御が，装置全体の省電力化のために非常に重要となる。
従来，特許文献２において，バッテリーによる動作時間の延長を目的として，バッテリーの出力電圧が低下した場合に，バックライトに対する供給電力を低下させる技術が示されている。
また，特許文献３には，画面の明るさを映像内容に応じた適切な状態に維持するため，液晶表示パネルに表示させる映像の輝度（諧調）のレベルに応じて，バックライトの輝度を変化させる技術が示されている。
一方，特許文献４や特許文献５には，カメラによる撮像画像に基づいて，顔面及びその向きを簡単かつ精度良く検出する技術が示されている。
【特許文献１】特開平１０−１０８１０８号公報
【特許文献２】特開平６−２０５３４３号公報
【特許文献３】国際公開第２００３／０３８７９９号パンフレット
【特許文献４】特開２００１−１０１４２９号公報
【特許文献５】特開２００６−２５９９００号公報
【発明の開示】
【発明が解決しようとする課題】
【０００４】
しかしながら，前述したように，１つの放送番組の中においても，その放送番組の映像が，大画面での表示に適したシーンを表す映像とそうでないシーンを表す映像とに随時変化する。そのため，特許文献１に示されるように，放送番組のジャンルに応じてその映像の表示サイズを変化させた場合，臨場感のある大きな画面で見たい映像までもが小さなサイズで表示されてしまうことがあるという問題点があった。
また，特許文献２に示されるように，装置の消費電力低減を優先させてバックライトに対する供給電力を低下させた場合，液晶表示パネルにおける表示映像のコントラストが犠牲になるという問題点があった。
また，特許文献１〜３のいずれにも，放送番組の映像が大画面での表示に適したシーンの映像とそうでないシーンの映像とに随時変化する場合に，その映像の表示サイズを適正化するために有効な技術について何ら開示も示唆もなされていない。
従って，本発明は上記事情に鑑みてなされたものであり，その目的とするところは，放送番組の映像が大画面での表示に適したシーンの映像とそうでないシーンの映像とに随時変化する場合に，その変化に応じて映像の表示サイズを適正化できるとともに，液晶表示パネルにおける表示映像のコントラストを犠牲にすることなく消費電力を低減することができる液晶テレビジョン受像機を提供することにあり，特に，人の顔が定位置でほとんど変化なく映し出されるシーンや人の顔が大きく映し出されるシーンの映像のように，大画面で表示すると視聴者に圧迫感や違和感を与えるシーンの映像とそれ以外のシーン映像とを自動的に判別し，その判別結果に応じて表示中の放送番組の映像の表示サイズを適正化できるとともに，液晶表示パネルにおける表示映像のコントラストを犠牲にすることなく消費電力を低減することができる液晶テレビジョン受像機を提供することにある。
【課題を解決するための手段】
【０００５】
上記目的を達成するために，本発明に係る液晶テレビジョン受像機は，放送番組の映像を表示する液晶表示パネルとその液晶表示パネルを背面側から照明する複数の光源（バックライト用の光源）とを備え，さらに，次の（１）〜（５）に示す各構成要素を備える。
（１）前記液晶表示パネルによる表示映像における人の顔の像の位置及び大きさに関する顔配置情報を記憶する顔配置情報記憶手段。
（２）前記液晶表示パネルにより表示中の前記放送番組の映像に含まれる人の顔の像の位置及び大きさを検出する顔検出手段。
（３）前記顔検出手段により検出された人の顔の像の位置及び大きさと前記顔配置情報記憶手段に記憶された前記顔配置情報に基づく人の顔の像の位置及び大きさとの合致状況を判別する顔配置合致状況判別手段。
（４）前記顔配置合致状況判別手段による判別結果に応じて，前記液晶表示パネルにおける前記放送番組の映像の表示サイズを切り替える映像サイズ切替手段。
（５）前記映像サイズ切替手段による映像表示サイズの切り替えに応じて，前記液晶表示パネルにおける前記放送番組の映像の非表示領域を照明する前記光源を消灯させ，前記放送番組の映像の表示領域を照明する前記光源を点灯させる光源点滅制御手段。
【０００６】
本発明に係る液晶テレビジョン受像機は，人の顔が定位置でほとんど変化なく映し出されるシーンの映像（例えばニュースキャスター等がスタジオ内で大写しになるシーンの映像等）とそれ以外のシーン映像とを自動的に判別し，その判別結果に応じて表示中の放送番組の映像の表示サイズを自動的に切り替える。これにより，本発明に係る液晶テレビジョン受像機は，放送番組の映像が大画面での表示に適したシーンの映像とそうでないシーンの映像とに随時変化する場合に，その変化に応じて映像の表示サイズを適正化できる。
さらに，本発明に係る液晶テレビジョン受像機は，映像表示サイズの切り替えに応じて，前記液晶表示パネルにおける前記放送番組の映像の非表示領域及び表示領域のそれぞれを照明する前記光源の消灯及び点灯を制御する。これにより，本発明に係る液晶テレビジョン受像機は，液晶表示パネルにおける表示映像のコントラストを犠牲にすることなく消費電力を低減することができる
【０００７】
ところで，スタジオ内で撮影が行われる放送番組の映像は，画面中央を含む所定エリア内に人の顔の像が大写しされる映像であるが，その人の顔の像の位置や大きさ及び数は，放送番組ごとに異なる。
そこで，本発明に係る液晶テレビジョン受像機において，前記顔配置情報記憶手段が，前記放送番組の識別情報と前記顔配置情報とを対応付けて記憶し，さらに，前記顔配置合致状況判別手段が，前記液晶表示パネルにより映像を表示中の前記放送番組の識別情報に対応する前記顔配置情報に基づいて前記合致状況を判別することが考えられる。これにより，放送番組それぞれの映像の特徴に応じて，映像表示サイズを適切に制御することが可能となる。
また，本発明に係る液晶テレビジョン受像機が，前記顔配置情報を前記顔配置情報記憶手段に記憶させる（登録する）ために，次の（６）に示す構成要素と，（７）及び（８）に示す各構成要素との一方又は両方を備えることが考えられる。
（６）所定の操作部に対して所定の登録操作がなされたことを検知した場合に， 前記液晶表示パネルにより映像を表示中の前記放送番組の識別情報と前記顔検出手段による検出結果に基づく前記顔配置情報とを対応付けて前記顔配置情報記憶手段に記憶させる顔配置情報半自動登録手段。
（７）所定の記憶手段に記憶された電子番組ガイド情報に基づいて，前記液晶表示パネルにより映像を表示中の前記放送番組のジャンルを判別する番組ジャンル判別手段。
（８）前記番組ジャンル判別手段による判別結果が予め定められた特定のジャンルである場合であって，前記顔検出手段による検出結果が予め定められた登録条件を満たす場合に，前記液晶表示パネルにより映像を表示中の前記放送番組の識別情報と前記顔検出手段による検出結果に基づく前記顔配置情報とを対応付けて前記顔配置情報記憶手段に記憶させる顔配置情報自動登録手段。
これにより，ユーザの好みや放送番組の改編に応じて，映像表示サイズ切り替えの判別基準となる前記顔配置情報の登録或いは更新を適宜行うことが容易となる。その他，本発明に係るテレビジョン受像機が，インターネットに接続するネットワーク通信インターフェースと，前記顔配置情報をインターネットを通じて適宜ダウンロードして前記顔配置情報記憶手段に記憶させる手段とを備えることや，或いは前記顔配置情報をアンテナにより受信される衛星波や地上波を通じて適宜ダウンロードして前記顔配置情報記憶手段に記憶させる手段を備えること等も考えられる。
また，前記登録条件としては，例えば，予め定められた大きさ以上であって，所定時間内における位置の変化が予め定められた範囲内である人の顔の像が存在するという条件が考えられる。
【発明の効果】
【０００８】
本発明によれば，放送番組の映像が大画面での表示に適したシーンの映像とそうでないシーンの映像とに随時変化する場合に，その変化に応じて映像の表示サイズを適正化できるとともに，液晶表示パネルにおける表示映像のコントラストを犠牲にすることなく消費電力を低減することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶テレビジョン受像機Ｘの概略構成を表すブロック図，図２は液晶テレビジョン受像機Ｘの内部におけるバックライト用光源の配置状態を表す図，図３は液晶テレビジョン受像機Ｘにおける表示画面サイズ制御の手順を表すフローチャート，図４は液晶テレビジョン受像機Ｘにおけるバックライト用光源の点灯状態の一例を表す図である。
【００１０】
まず，図１に示すブロック図を参照しつつ，本発明の実施形態に係る液晶テレビジョン受像機Ｘの構成について説明する。
液晶テレビジョン受像機Ｘは，アンテナ等により受信されたテレビジョン放送信号から放送番組に関する映像信号を抽出し，その映像信号に基づく映像を液晶表示パネル２０により表示するものである。前記液晶表示パネル２０の背面には，その液晶表示パネル２０を背面から照明するバックライト用の光源である水色発光する冷陰極管１８（図中，ＣＣＦＬと表す）及び赤色発光するＬＥＤ１９が設けられている。
図１に示すように，液晶テレビジョン受像機Ｘは，ディジタルチューナ１，復調回路２，デマルチプレクサ３，映像デーコーダ回路４，映像処理回路５，画像認識回路６，リモコン７，制御回路８，リモコン受光部９，液晶表示パネル２０，バックライト用の光源である冷陰極管１８及びＬＥＤ１９，インバータ回路１４，ＬＥＤ駆動回路１５，カラーセンサ１６，明るさセンサ１７，音声デコーダー回路１０，音声処理回路１１，アンプ１２，及びスピーカ１３等を具備している。
【００１１】
前記ディジタルチューナ１は，前記制御回路８により選択を指示された放送番組の信号が含まれる搬送波周波数成分を選択して後段の復調回路２に伝送する。
前記復調回路２は，前記ディジタルチューナ１から伝送されてきた搬送波周波数成分からトランスポートストリーム信号（Transport Stream信号：以下，ＴＳ信号）を復調する。
前記デマルチプレクサ３は，前記ディジタルチューナ１及び前記復調回路２により抽出されたＴＳ信号から，視聴する放送番組に対応した映像信号及び音声信号，並びに付加データ等を分離して抽出するものである。さらに，前記デマルチプレクサ３は，前記制御回路８から受けたＰＩＤ（Packet IDentification)に応じて，視聴対象となる放送番組の映像信号及び音声信号を抽出し，各信号を前記映像デコーダー回路４及び前記音声デコーダー回路１０それぞれに伝送する。また，前記デマルチプレクサ３は，ＴＳ信号から，付加データであるＳＩ（Service Information）等を抽出して前記制御回路８に伝送する。このＳＩは，ＥＰＧ（電子番組ガイド）に関する情報（例えば，番組名，放送時間等を示す情報）が多重化されたデータである。
前記映像デコーダー回路４は，前記デマルチプレクサ３から受けた映像信号を復号し，復号した映像信号を前記映像処理回路５に伝送する。同様に，前記音声デコーダー回路１０は，前記デマルチプレクサ３から受けた音声信号を復号し，復号した音声信号を前記音声処理回路１１に伝送する。
前記映像処理回路５は，前記映像デコーダー回路４から伝送されてくる映像信号に対して各種信号処理を行うものである。例えば，前記映像処理回路５は，前記液晶表示パネル２０に表示させる映像の画面サイズを，前記制御回路８により指定されるサイズに切り替える画面サイズ切替機能を備えている。
前記音声処理回路１１は，前記制御回路８からの指示に従って，前記音声デコーダー回路１０から伝送されてくる音声信号に対して各種信号処理を行うものである。例えば，前記スピーカ１３の特性に合わせたイコライズ処理や，サラウンド処理等を行う。前記アンプ１２は，前記音声処理回路１１による処理後の音声信号を，前記制御回路８からの指示に従って増幅或いは減衰させる処理を行い，前記スピーカ１３に出力するものである。
また，前記液晶表示パネル２０は，映像処理回路５から出力される映像信号に基づく映像（放送番組の映像）を表示するものである。
また，前記明るさセンサ１７は，液晶表示パネル２０の前面側の明るさを検知するセンサであり，前記カラーセンサ１６は，液晶表示パネル２０の背面側における光の色分布（Ｒ，Ｇ，Ｂの分布）を検知するセンサである。これらのセンサは，後述するように，冷陰極管１８やＬＥＤ１９の明るさ（出力）制御に用いられる。
【００１２】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），前記ＭＰＵ８ａが実行する処理において読み書き（参照又は書き込み）される各種データを記憶する不揮発メモリ８ｃ等を備え，当該液晶テレビジョン受像機Ｘ全体を制御するものである。前記不揮発メモリ８ｃは，例えばフラッシュメモリ等である。
また，前記制御回路８は，前記デマルチプレクサ３により抽出されたＳＩに基づいてＥＰＧ情報（電子番組ガイド情報）を取得し，そのＥＰＧ情報を前記不揮発メモリ８ｃに記憶させる。このＥＰＧ情報には，各放送番組の番組コードや番組タイトル，放送開始日時及び放送終了日時，番組のジャンル（ニュース，ワイドショー等），出演者等の情報が含まれている。
前記画像認識回路６は，前記映像デコーダー回路４から伝送されてくる映像信号（即ち，前記液晶表示パネル２０により表示中の放送番組の映像信号）に基づいて，その放送番組の映像（画像）に含まれる人の顔の像（以下，顔面像という）の位置及び大きさを検出する画像認識処理を実行する回路である（前記顔検出手段の一例）。この画像認識回路６は，放送番組の映像信号における全てのフレーム画像それぞれについて，或いは一定間隔でサンプリングされたフレーム画像それぞれについて連続的に前記顔面像の位置及び大きさの検出を行う。また，この画像認識回路６による処理結果（前記顔面像の位置及び大きさ）は，前記制御回路８に伝送される。なお，この画像認識回路６は，例えばＤＳＰ（Digital Signal Processor）等によって実現される回路である。
ここで，画像（映像）から人の顔の像の位置を検出（特定）する画像処理アルゴリズムの例は，例えば前記特許文献４及び５等に示されるように，両目の瞳の像の位置を検出する等の各種のアルゴリズムが既に周知であるのでここではその内容の説明を省略する。同様に，画像から人の顔の像の大きさを検出（特定）する画像処理アルゴリズムは，例えば，人の顔の像の特徴部として検出した両目の瞳の像の間の距離を顔面の大きさに換算するアルゴリズム等が考えられる。
また，前記画像認識回路６は，表示中の映像に複数の前記顔面像が存在する場合，その複数の顔面像それぞれの位置及び大きさを検出する。
【００１３】
前記リモコン受光部９は，当該液晶テレビジョン受像機Ｘの操作用のリモコン７（リモート操作器）から，所定の信号伝送プロトコルに従って赤外線による無線信号受信を行う信号伝送インターフェースである。前記リモコン受光部９は，赤外線信号伝送によって前記リモコン７に対する操作入力情報を取得し，その操作入力情報を前記制御回路８に伝送する。
液晶表示パネル２０のバックライト用の光源である冷陰極管１８は，緑及び青の各波長の光の合成光（水色）を発光するものであり，複数の冷陰極管が配列されて構成されている。また，同じくバックライト用の光源であるＬＥＤ１９は，赤色波長の光を発光する赤色ＬＥＤであり，複数の冷陰極管１８の間等に複数配列されて構成されている。
図２は，液晶テレビジョン受像機Ｘの内部におけるバックライト用の光源（冷陰極管１８及びＬＥＤ１９）の配置状態を表す図である。
図２に示すように，冷陰極管１８は，液晶表示パネル２０の背面全体に渡る領域において上下方向に並ぶよう配列され，それら複数の冷陰極管１８の間に，複数のＬＥＤ１９が等間隔で配列されている。
【００１４】
前記インバータ回路１４（図中，ＩＮＶ回路と示す）は，制御回路８から出力される制御信号に従って，複数の冷陰極管１８それぞれに対する供給電力を調節する回路である。即ち，前記インバータ回路１４は，前記制御回路８から伝送されてくる制御信号に従って，ＰＷＭ（Pulse Width Modulation：パルス幅階調）調光による冷陰極管１８の明るさ調節や，点灯及び消灯の制御を行う。なお，前記インバータ回路１４は，前記冷陰極管１８それぞれについて個別に点灯，消灯及び明るさの制御が可能である。
また，前記ＬＥＤ駆動回路１５は，制御回路８から出力される制御指令に従って，ＬＥＤ１９（赤色ＬＥＤ）に対する供給電力を調節する回路である。即ち，前記ＬＥＤ駆動回路１５は，前記制御回路８から伝送されてくる制御信号に従って，ＬＥＤ１９の明るさ調節や，点灯及び消灯の制御を行う。なお，前記ＬＥＤ駆動回路１５は，横方向の一列分（一行分）のＬＥＤ１９ごとに個別に点灯，消灯及び明るさの制御が可能である。
なお，前記制御回路８は，前記液晶表示パネル２０の前面側の明るさを検知する明るさセンサ１７の検知レベルや，前記液晶表示パネル２０の背面側の光の色分布を検知するカラーセンサ１６の検知結果に応じて，冷陰極管１８の明るさ（光量）調節やＬＥＤ１９の明るさ（光量）調節等も行うが，ここでは，その詳細についての説明は省略する。
【００１５】
また，前記制御回路８における前記不揮発メモリ８ｃには，前記液晶表示パネル２０による表示映像が放送局のスタジオ内で撮影が行われる放送番組の標準的な映像における前記顔面像（人の顔の像）の位置及び大きさを表す情報である標準顔面情報（前記顔配置情報の一例）が記憶される（前記顔配置情報記憶手段の一例）。その標準画面情報は，放送番組の識別情報（例えば，電子番組ガイド情報（ＥＰＧ情報）において用いられる番組名称や放送開始時刻等）と対応付けられて前記不揮発メモリ８ｃに記憶される。即ち，前記標準顔面情報は，放送番組ごとに設定される情報である。
また，前記標準顔面情報は，前記制御回路８（のＭＰＵ８ａ）により自動又は半自動で登録（前記不揮発メモリ８ｃに記録）される情報である。以下，前記制御回路８が実行する前記標準顔面情報の半自動登録処理及び全自動登録処理について説明する。
【００１６】
まず，前記半自動登録処理について説明する。
前記制御回路８は，前記液晶表示パネル２０に放送番組の映像が表示されているときに，前記リモコン７（操作部の一例）に対して所定の登録操作がなされたか否かを監視する。前記登録操作は，ユーザ（視聴者）が，前記液晶表示パネル２０に表示中の映像を小さいサイズの画面で表示させたいと判断した場合に行う操作である。例えば，前記登録操作は，前記リモコン７（操作部の一例）に設けられた「登録キー」を押下する操作などである。
そして，前記制御回路８は，前記登録操作がなされたことを前記リモコン受光部９を通じて検知した場合，前記画像認識回路６によって検出された前記顔面像の位置及び大きさの情報，即ち，前記液晶表示パネル２０に表示中の映像における前記顔面像の位置及び大きさの情報を取得し，その情報を前記液晶表示パネル２０により映像を表示中の前記放送番組の識別情報（番組タイトルや放送開始時刻等）と対応付けて前記不揮発メモリ８ｃに記憶させる半自動登録処理を実行する（前記顔配置情報半自動登録手段の一例）。なお，前記制御回路８は，不図示の計時回路により計時される現在日時と，前記ディジタルチューナ１による選局チャンネルと，前記ＥＰＧ情報とに基づいて液晶表示パネル２０により映像を表示中の放送番組の識別情報を特定する。
【００１７】
次に，前記全自動登録処理について説明する。
前記制御回路８は，前記不揮発メモリ８ｃに記憶されたＥＰＧ情報（電子番組ガイド情報）に基づいて，前記液晶表示パネル２０により映像を表示中の放送番組のジャンルを判別する処理を実行する（前記番組ジャンル判別手段の一例）。即ち，前記制御回路８は，不図示の計時回路により計時される現在日時と，前記ディジタルチューナ１による選局チャンネルと，前記ＥＰＧ情報とに基づいて液晶表示パネル２０により映像を表示中の放送番組の識別情報を特定し，その識別情報に対応するジャンルを前記ＥＰＧ情報の中から検索する。
さらに，前記制御回路８は，放送番組のジャンルの判別結果が予め定められた特定のジャンル（例えば，ニュース又はワイドショー）である場合であって，前記画像認識回路６により検出された前記顔面像の位置及び大きさが予め定められた登録条件を満たす場合に，液晶表示パネル２０により映像を表示中の放送番組の識別情報と，前記画像認識回路６による検出結果である前記顔面位置及び大きさの情報とを対応付けて前記不揮発メモリ８ｃに記憶させる全自動登録処理を実行する（前記顔配置情報自動登録手段の一例）。なお，この全自動登録処理は，例えば，定期的に自動的に実行される。
前記登録条件は，放送局のスタジオ内で撮影が行われるニュースやワイドショー等の放送番組の標準的な映像において，前記顔面像（人の顔の像）が存在する位置及び大きさを表す条件である。
ここで，前記登録条件としては，例えば，前記顔面像の大きさが予め定められた大きさ以上であり，かつ，前記顔面像の所定時間内における位置の変化が予め定められた範囲内である（表示中の映像にそのような顔面像が存在する）という条件が考えられる。より具体的には，例えば，前記顔面像の高さ（縦方向の長さ）が映像全体の高さの四分の一以上であり，かつ，前記顔面像の１０秒間の高さ方向及び幅方向の位置変化が，映像全体の高さ及び幅に対して５％未満に収まっているという前記登録条件が考えられる。
以上に示したように，前記制御回路８が前記半自動登録処理や前記全自動登録処理を実行することにより，ユーザの好みや放送番組の改編に応じて，後述する映像表示サイズの切り替えの判別基準となる前記標準画面情報の登録或いは更新を適宜行うことが容易となる。
【００１８】
次に，図３に示すフローチャートを参照しつつ，前記画像認識回路６及び制御回路８（のＭＰＵ８ａ）が実行する表示画面サイズ制御の手順について説明する。なお，図３に示す処理の開始時点において，液晶テレビジョン受像機Ｘは，バックライト用の全ての光源（前記冷陰極管１８及びＬＥＤ１９）を点灯し，前記液晶表示パネル２０に放送番組の映像を表示している状態であるものとする。また，以下に示すＳ１，Ｓ２，…は，処理手順（ステップ）の識別符号を表す。
まず，前記画像認識回路６は，前記制御回路８から，その時点で前記映像表示パネル２０により映像を表示中の放送番組に対応する前記標準顔面情報を取得する（Ｓ１）。その際，前記制御回路８は，現在日時と前記ＥＰＧ情報と前記ディジタルチューナ１における選局チャンネルとに基づいて液晶表示パネル２０に映像を表示中の放送番組の識別情報（番組タイトル又は放送開始時刻等）を判別し，その識別情報に対応する前記標準顔面情報を，前記不揮発メモリ８ｃから読み出して前記画像認識回路６に引き渡す。
さらに，前記画像認識回路６は，前記映像デコーダー回路４から伝送されてくる映像信号（前記液晶表示パネル２０により表示中の放送番組の映像信号）に基づいて，その放送番組の映像（フレーム画像）に含まれる前記顔面像の位置及び大きさを検出する前記画像認識処理を実行する（Ｓ２）。
【００１９】
次に，前記画像認識回路６は，ステップＳ２で検出した前記顔面像の検出結果が，ステップＳ１で取得した前記標準顔面情報における前記顔面像の位置及び大きさに対して所定の許容範囲内に収まっているか否かを判別（比較）することにより，前記顔面像の位置及び大きさの検出結果と前記標準顔面情報における前記顔面像の位置及び大きさとの合致状況を判別する（Ｓ３，前記顔配置合致状況判別手段の一例）。例えば，前記画像認識回路６は，ステップＳ２で検出した位置及び大きさが，前記標準顔面情報における位置及び大きさに対して予め定められた許容範囲内にある状態が所定時間（例えば，数秒程度）継続した場合に両者が合致していると判別し，そうでない場合に両者が合致していない（非合致）と判別する。また，ステップＳ２において複数の前記顔面像が検出された場合，前記画像認識回路６は，その複数の顔面像それぞれについて，前記標準顔面情報における前記顔面像の位置が近いものとの比較を行う。このステップＳ３における判別結果（合致又は非合致）は，前記画像認識回路６から前記制御回路８に伝送される。
【００２０】
そして，前記制御回路８が，ステップＳ３での判別結果（合致又は非合致）に応じて前記映像処理回路５に制御信号を出力することにより，前記液晶表示パネル２０における放送番組の映像の表示サイズを予め定められた小画面サイズとするか前記液晶表示パネル２０全体に渡る大画面サイズとするかを切り替える処理を実行する（Ｓ４，Ｓ６，前記映像サイズ切替手段の一例）。即ち，前記制御回路８は，ステップＳ３において前記顔面像の位置及び大きさの検出結果が前記標準顔面情報における前記顔面像の位置及び大きさと合致すると判別された場合，，放送番組の映像が前記液晶表示パネル２０の中央の一部の領域に縮小表示されるよう前記映像処理回路５を制御し（Ｓ４，小画面サイズの設定），そうでない（非合致）と判別された場合，放送番組の映像が前記液晶表示パネル２０の全域に表示されるよう前記映像処理回路５を制御する（Ｓ６，大画面サイズの設定）。例えば，前記液晶表示パネル２０のサイズが５２型である場合，前記大画面サイズを５２型の画面サイズとし，前記小画面サイズを２６型の画面に相当するサイズ等とする。
このステップＳ４及びＳ６の処理により，送番組の映像が大画面での表示に適したシーンの映像とそうでないシーンの映像とに随時変化する場合に，その変化に応じて映像の表示サイズを適正化できる。
【００２１】
さらに，前記制御回路８は，ステップＳ４及びＳ６の処理による映像表示サイズの切り替えに応じて前記インバータ回路１４及び前記ＬＥＤ駆動回路１５を制御することにより，前記液晶表示パネル２０における放送番組の映像の非表示領域を照明する光源（前記冷陰極管１８及びＬＥＤ１９）を消灯させ，放送番組の映像の表示領域を照明する光源を点灯させる制御を実行する（Ｓ５，Ｓ７，前記光源点滅制御手段の一例）。
図４は，ステップＳ５及びＳ７の処理によるバックライト用光源の点灯状態の一例を表す図である。
前記制御回路８は，放送番組の映像表示領域を前記小画面サイズの表示領域ａ２とした場合（Ｓ４），ステップＳ５においてその表示領域ａ２を照明する前記冷陰極管１８及びＬＥＤ１９を点灯させた状態に維持する（図４において「点灯中」と表記）とともに，映像の非表示領域（領域ａ１から領域ａ２を除いた領域）を照明する前記冷陰極管１８及びＬＥＤ１９を可能な限り消灯させる（図４において「消灯中」と表記）。
一方，前記制御回路８は，放送番組の映像表示領域を前記大画面サイズの表示領域ａ１とした場合（Ｓ６），ステップＳ７において全ての前記冷陰極管１８及びＬＥＤ１９を点灯させる。
例えば，前記液晶表示パネル２０のサイズ（前記大画面サイズ）が５２型である場合，映像表示領域のサイズを全表示領域のサイズの半分にし，映像の非表示領域を照明するバックライト用光源に対する供給電力を制御することにより，ほぼ３７型の液晶テレビジョン受像機に相当する程度まで消費電力を抑えることも可能である。
従って，ステップＳ５及びＳ７の処理により，液晶表示パネル２０における表示映像のコントラストを犠牲にすることなく当該液晶テレビジョン受像機Ｘの消費電力を大幅に低減することができる。
【００２２】
また，前記制御回路８は，不図示の計時回路により計時される現在日時と，前記ディジタルチューナ１による選局チャンネルと，前記ＥＰＧ情報とに基づいて液晶表示パネル２０により映像を表示中の放送番組の識別情報を特定し，その識別情報の変化を監視する処理を実行することにより，液晶表示パネル２０に映像を表示中の放送番組に切り替わりが生じたか否かを随時判別する（Ｓ８）。
そして，ステップＳ８において，液晶表示パネル２０に映像を表示中の放送番組に切り替わりが生じたと判別された場合には，前述したステップＳ１〜Ｓ７の処理が繰り返され，一方，放送番組の切り替わりが生じていないと判別された場合には，前述したステップＳ２〜Ｓ７の処理が繰り返される。
【００２３】
以上に示した実施形態において，前記インバータ回路１４及び前記ＬＥＤ駆動回路１５は，バックライト用の各光源１８，１９を一行（横方向の一列）ごとの単位で点灯及び消灯することが可能なものであったが，点灯及び消灯の制御が可能な単位は他の単位であることも考えられる。例えば，前記インバータ回路１４及び前記ＬＥＤ駆動回路１５が，バックライト用の各光源１８，１９を二行（横方向の二列）ごとの単位で点灯及び消灯することが可能であることや，前記ＬＥＤ駆動回路１５が，隣接する複数個のＬＥＤ１９ごとの単位で点灯及び消灯することが可能であること等が考えられる。
また，前述した実施形態では，バックライトが，前記冷陰極管１８及びＬＥＤ１９の両光源からなるハイブリッド型である例を示したが，白色発光する冷陰極管のみ，或いは，白色発光するＬＥＤのみ若しくはＲＧＢ三色のＬＥＤの組合せからなるバックライトであることも考えられる。
【産業上の利用可能性】
【００２４】
本発明は，液晶テレビジョン受像機に利用可能である。
【図面の簡単な説明】
【００２５】
【図１】本発明の実施形態に係る液晶テレビジョン受像機Ｘの概略構成を表すブロック図。
【図２】液晶テレビジョン受像機Ｘの内部におけるバックライト用光源の配置状態を表す図。
【図３】液晶テレビジョン受像機Ｘにおける表示画面サイズ制御の手順を表すフローチャート。
【図４】液晶テレビジョン受像機Ｘにおけるバックライト用光源の点灯状態の一例を表す図。
【符号の説明】
【００２６】
Ｘ  ：液晶テレビジョン受像機
１  ：ディジタルチューナ
２  ：復調回路
３  ：デマルチプレクサ
４  ：映像デコーダー回路
５  ：映像処理回路
６  ：画像認識回路
７  ：リモコン
８  ：制御回路
９  ：リモコン受光部
１０：音声デコーダー回路
１１：音声処理回路
１２：アンプ
１３：スピーカー
１４：インバータ回路
１５：ＬＥＤ駆動回路
１６：カラーセンサ
１７：明るさセンサ
１８：冷陰極管（バックライト用の光源）
１９：ＬＥＤ（バックライト用の光源）
２０：液晶表示パネル
Ｓ１，Ｓ２，・・：ステップ（処理手順）
【図１】
2008301167.tif 000003
【図２】
2008301167.tif 000004
【図３】
2008301167.tif 000005
【図４】
2008301167.tif 000006